(57)【要約】【課題】  解決しようとする問題点は、従来コンビネーション型時計の文字盤とデジタル表示部とに段差が生じていたため、見栄え上問題があった点である。  また別の問題点は、コンビネーション型時計のような携帯機器においては文字盤をデザインの自由度が高く、高精細な画像とする手段がなかった点である。【解決手段】  液晶表示パネルの表示領域として、表示が無電力で保持される表示保持領域と、表示を随時書き換える表示駆動領域とを設けた。また、前記表示保持領域の液晶をメモリー性を持つ液晶とした。さらに、前記メモリー性を有する液晶は光照射によって表示内容が書き換え得る構成とした。【選択図】        図１
2005234202.tif 000002
【特許請求の範囲】
【請求項１】
一対の基板間に液晶を挟持した液晶表示パネルであって、
前記液晶表示パネルの表示領域は、表示が無電力で保持される表示保持領域と、表示を随時書き換える表示駆動領域とを有することを特徴とする液晶表示パネル。
【請求項２】
前記表示保持領域に挟持されている液晶はメモリー性を有することを特徴とする請求項１に記載の液晶表示パネル。
【請求項３】
前記メモリー性を有する液晶は光照射によって表示内容が書き換え得ることを特徴とする請求項２に記載の液晶表示パネル。
【請求項４】
前記メモリー性を有する液晶は強誘電性を示す液晶であることを特徴とする請求項２に記載の液晶表示パネル。
【請求項５】
請求項１から請求項４のいずれか１項に記載の液晶表示パネルを備えたことを特徴とする時計。
【請求項６】
請求項１から請求項４のいずれか１項に記載の液晶表示パネルを備えたことを特徴とする携帯機器。
【発明の詳細な説明】
【技術分野】
【０００１】
本発明は、液晶表示パネルおよび該液晶パネル備えた時計及び携帯機器に関する。
【背景技術】
【０００２】
情報を表示するための針を備え、その背面に液晶パネルを備えて文字盤とした時計に関しては、液晶パネルとして表示維持状態で電力を消費しない強誘電性液晶パネルを用い、かつ時計外から該強誘電性液晶パネルの表示書き換え電気信号を伝送することにより、時針、分針の背面画像の自由度が高く、かつ低消費電力で小型の時計を実現するという提案がなされている（例えば特許文献１参照）。
【０００３】
ここで強誘電性液晶パネルの説明をしておく。
図１０および図１１は、強誘電性液晶の分子長軸方向と電界との関係を示す説明図である。
図１０のように、電界Ｅが図面表から裏に向かって印加されている場合は、液晶分子ＬＣＭの第１の強誘電状態である平均的な分子長軸方向Ｍは、配向膜の配向軸ＯＡを中心に角度θ１傾いて安定している。一方図１１のように、電界Ｅを図面裏から表に向けて印加した場合は、液晶分子ＬＣＭの第２の強誘電状態である分子長軸方向Ｍは、配向軸ＯＡに対して時計回りに角度θ２傾いて安定している。
【０００４】
すなわち、液晶分子ＬＣＭは、分子長軸方向Ｍを動直線として描くコーン形状の側面上を転移している。また角度θ１と角度θ２の和（θ１＋θ２）が第１の強誘電状態である液晶の平均的な分子長軸方向と、第２の強誘電状態である液晶の平均的な分子長軸方向との間の角度、つまり円錐（コーン）の中心角θ（すなわち、コーン角度）となる。
【０００５】
図１２は、強誘電性液晶の分子長軸方向と偏光板の透過軸との関係を示す説明図で、強誘電性液晶層を狭持する２枚の透明基板の外側にそれぞれ第１と第２の偏光板が設けられている。
図１２に示すように、通常、強誘電性液晶を使用する場合には、第１の偏光板の透過軸Ｐ１と第２の偏光板透過軸Ｐ２とを、略９０°の角度をなすように配置する。そして、第１の偏光板の透過軸Ｐ１と第２の偏光板の透過軸Ｐ２のどちらか一方を、第１または第２の強誘電状態のときの分子長軸方向Ｍに一致させる（図示例では、前記第１もしくは第２の強誘電状態における分子長軸方向Ｍを透過軸Ｐ１に一致させている）。このように配置すると、黒表示時の透過率を小さくすることができる。電界Ｅの向きが逆になると、液晶分子ＬＣＭが配向軸ＯＡを対称軸として移動して白表示となり、透過率を大きくすることができる。
【０００６】
図１３は強誘電性液晶の電界強度すなわち印加電圧と透過率との関係を示した図で、第２の強誘電状態における分子長軸方向Ｍを透過軸Ｐ１に一致させた場合の特性である。
図１３において、印加電圧を０Ｖから＋側に徐々に増加させていくとＶ１を越えた時から透過率が増加し始める。透過率は印加電圧がＶ１を越えてＶ２に達したとき最大値、すなわち白表示状態、に達して飽和し、Ｖ２以上の電圧を印加しても最大値を維持する。次に印加電圧を−側に向けて徐々に変化させていくと、印加電圧がＶ２，Ｖ１，０Ｖを越えても透過率は最大値を維持し、−側の電圧Ｖ３を越えると透過率が減少し始める。透過率は印加電圧がＶ３を越えてＶ４に達したとき最小値、すなわち黒表示状態、に達して飽和し、Ｖ４以上の−電圧を印加しても最小値を維持する。次に印加電圧を＋側に向けて徐々に変化させていくと、印加電圧がＶ４，Ｖ３，０Ｖを越えても透過率は最小値を維持し、＋側の電圧Ｖ１を越えると透過率が増加し始める。
以下、電圧の変化に対して図１３に示すように、上記の状態を繰り返す。すなわち強誘電性液晶パネルの印加電圧−透過率特性はヒステリシス特性を示し、Ｖ１を越える＋側の電圧か、Ｖ３を越える−側の電圧を印加しない限りそれまでの表示状態を維持する。すなわちメモリー性を有しており、例えば０Ｖを印加し続ければ電力消費ゼロで書き込まれた表示を維持できる。
なお図示のように、透過率が最大値を維持している状態が第１の強誘電状態であり、最小値を維持している状態が第２の強誘電状態である。
【０００７】
このように、時刻情報等を針で表示する時計等の携帯装置においては、強誘電性液晶を針の背面に設けると、すなわち従来の文字盤として用いれば、文字盤模様の自由度が高くかつ低消費電力の時計が実現できた。
ところが時刻情報等を針と液晶パネルの双方で表示する、いわゆるコンビネーション型の時計においては問題があった。
【０００８】
図１４はその問題を説明する図である。
図１４はコンビネーション型の時計の断面図で、時計基板１２８上にスぺーサー１３０を介して文字盤１２６が置かれ、文字盤１２６の中を貫いて時計針軸４４が設けられ、時計針軸４４に時針４８、分針４６が取り付けられている。液晶パネル１３２は時計基板１２８に取り付けられ、さらに表示板１３４がスぺーサー１３１を介して時計基板１２８上に置かれている。
ここで問題になるのは、図示した文字盤１２６の表面と液晶パネル１３２の表示部との間に生じてしまう解消困難な段差ｄで、この段差があるため見栄え上に問題が生じていた。このような段差は液晶パネルを２つ用意し、その１つを文字盤として用いたとしても、基板への取り付け方によって生じてしまう可能性が大きく、解消は容易でない。
【０００９】
また、特許文献１に示された技術によって時計の文字盤をデザインの自由度が高く、高精細な画像とすることが出来たが、液晶パネルを文字盤として用いる静止画像用の技術であるため、コンビネーション型の時計のように液晶パネルでも常時駆動する必要のある表示部を有する時計については実現法を提案していなかった。
このような問題は時計のみならず、同様の低消費電力が要求される携帯用機器においても共通の問題であった。
【００１０】
【特許文献１】特開２００２−１４９１２４
【発明の開示】
【発明が解決しようとする課題】
【００１１】
解決しようとする問題点は、従来コンビネーション型時計の文字盤とデジタル表示部とに段差が生じていたため、見栄え上問題があった点である。
また別の問題点は、コンビネーション型時計のような携帯機器においては文字盤をデザインの自由度が高く、高精細な画像とする手段がなかった点である。
【課題を解決するための手段】
【００１２】
本発明による液晶表示パネルは、一対の基板間に液晶を挟持した液晶表示パネルであって、前記液晶表示パネルの表示領域は、表示が無電力で保持される表示保持領域と、表示を随時書き換える表示駆動領域とを有することを特徴とする。
【００１３】
また、本発明による液晶表示パネルは、前記表示保持領域に挟持されている液晶はメモリー性を有することを特徴とする。
【００１４】
また、本発明による液晶表示パネルは、前記メモリー性を有する液晶は光照射によって表示内容が書き換え得ることを特徴とする。
【００１５】
また、本発明による液晶表示パネルは、前記メモリー性を有する液晶は強誘電性を示す液晶であることを特徴とする。
【００１６】
また、本発明による時計は、上記いずれかの特徴を有する液晶表示パネルを備えたことを特徴とする。
【００１７】
また、本発明による携帯機器は、上記いずれかの特徴を有する液晶表示パネルを備えたことを特徴とする。
【発明の効果】
【００１８】
本発明による液晶表示パネルを時計に応用すれば、文字盤部とデジタル表示部が透明基板を共有する１つの液晶パネルで構成されているため、従来文字板とデジタル部とに生じていた段差を解消し、表示領域内に段差がない見栄えの良いコンビネーション型の時計を製造することができる。
また、光書込み型の液晶パネルは表示画素が電極形状に依存しないため、コンビネーション型で随時駆動部分を有しながらも、デザインの自由度が高くかつ高精細な時計の文字盤が実現できる。
さらに、常時書き換えしない部分は無電力で表示を維持出来るため、高精細の画像を低消費電力で表示することが出来る。
さらにまた、光書込み型の液晶パネル部分は機器内部に駆動回路を備える必要がないため、配線の簡略化、小型化、廉価化が可能となる。
【発明を実施するための最良の形態】
【００１９】
液晶表示パネルの同一基板内に構成され、その表示領域が、メモリー性を有する液晶を用いて表示が無電力で保持される表示保持領域と、通常に駆動が行われている表示駆動領域とを備えている。
また、上記２種の領域に対しての表示データ書込手段を異ならせる。
【実施例１】
【００２０】
以下本発明の実施例を図面に基づいて詳細に説明する。
図１は本発明による時計の第１の実施例で、一つの液晶パネル内にメモリー性を持った光書き込み型の液晶パネル部と、電気アドレス型の液晶パネル部の双方を有する液晶パネルを、文字盤に用いた時計の概略図と断面図である。なお本実施例の時計は、時刻表示を針と液晶パネルの双方で行うコンビネーション型の時計である。
本発明に用いた液晶パネルでは光書き込み部分では光書き込みによって好みの表示を書き込んでおく。メモリー特性の液晶を用いているために、書き込み後は液晶パネル外部から一切エネルギーを与えることなく表示が保たれている。また電気アドレス型液晶パネル部分では時刻表示や曜日表示等を、液晶パネルに接続されている機器内部の回路から信号を与えることにより、随時表示の書き換えを行う。
【００２１】
図１（ａ）において、１２が文字盤として用いられる光書込型液晶パネル部、１６は光書込用のインタフェースで、この部分から光書込時に必要な電気信号が光書込型液晶パネル部１２に接続される。このインタフェース１６は光書込型液晶の場合非常に簡単に構成することが可能である。１４は純電気的に書き込みを行うパネル部で定期的に時刻情報等が書き込まれる。ここで光書込型液晶パネル部１２が表示保持領域、純電気的に書き込みを行うパネル部１４が表示駆動領域となっている。
【００２２】
図１（ｂ）は図１（ａ）の時計の情報を表示するための針を含む文字盤部の断面図で、上側の透明基板１８と下側の透明基板２０とで液晶層３６，３８を狭持し、上側の透明基板１８の液晶層３６，３８側には透明電極２２，２３と配向膜２６が、上面側には偏光板４０が設けられており、下側の透明基板２０の液晶層３６，３８側には透明電極２４、２５と光導電体３２と配向膜２８，３０が、下面側には反射型偏光板４２が設けられており、透明基板１８，２０の縁及び後述する時計針軸４４の周囲にはシール５０が設けられて液晶パネル５４を構成している。
液晶パネル５４の中央部には穴部が形成され、その中を時計針軸４４が貫通している。時計針軸４４には時針４８と分針４６とが取り付けられている。
液晶パネル５４の中で、５６は光書き込み型の液晶パネル部であり、５８は電気アドレス型の液晶パネル部である。そのため、光書き込み型の液晶パネル部５６の透明電極２２，２４はほぼ全面共通電極となっているが、電気アドレス型の液晶パネル部５８の透明電極２３，２５はパターニングされている。
また、光書き込み型の液晶パネル部５６と電気アドレス型の液晶パネル部５８の境界にはシール５２が設けられている。このシール５２は光書き込み型の液晶パネル部５６と電気アドレス型の液晶パネル部５８とで異なる液晶物質を用いたときのために設けたもので、共通の液晶物質を用いた場合は不要となる。本実施例では両パネル部５６，５８共に強誘電性液晶を用いたので、シール５２はなくてもよい。
【００２３】
図１（ｂ）において、文字盤に用いた液晶パネル５４は約１．７μの厚さの強誘電性液晶層２８を持つ一対の透明基板１８，２０から構成されている。上側の透明基板１８側の透明電極２２，２３上にはＳｉＯ物質を約６００Åの膜厚で蒸着し配向膜２６とした。また、光書き込み型の液晶パネル部５６側の下側の透明基板２０に於いては、透明電極２４上に光が照射されると抵抗値が低下する光導電性物質として約１μｍの厚みでａ-Ｓｉ:Ｈ（アモルファス  シリコン）膜が光導電体３２として成膜されており、この光導電性物質上に約６００Åの厚みのＳｉＯが配向膜２８として成膜されている。なお光書込型液晶で、かつメモリー性を有する液晶材料として、光導電層を備える必要がない液晶材料を用いる場合は、この光導電層を省略することが出来る。上側の透明基板１８の外側には、偏光板の偏光軸と、電圧無印加時に第２の強誘電状態である強誘電性液晶分子の平均的分子軸方向とが、平行になるように偏光板４０を設置し、他方の透明基板２０の外側には反射型偏光板４２を設置した。光導電体３２の層が液晶パネル５４の光書き込み型液晶パネル部５６を光書込可能にしている。
なお光書込み型液晶でかつ無電力で画像保持可能な液晶としては、強誘電性液晶、コレステリック液晶等があるが、本明細書では強誘電性液晶を例にとって説明する。
【００２４】
図２は本発明による時計をより具体的に説明する平面図である。
図２において、時計の針である時針４８、分針４６の下部に円形で示した液晶パネルが置かれ、液晶パネルのうち１２が光書込型液晶パネル部（図１の５６の領域）、１４が電気アドレス型液晶パネル部（図１の５８の領域）となっている。電気アドレス型液晶パネル部１４では透明電極が格子状にパターニングされている。
光書込型液晶パネル部１２には光書込用インターフェイス１６を介して光書込の際に必要な信号が送られてくる。またこれらの信号は接続ケーブル、赤外線、磁力線、電波等の通信手段によってインターフェイス１６を介して伝送可能である。
電気アドレス型液晶パネル部１４には電気アドレス用表示回路７０が時計内に設けられ、該電気アドレス用表示回路７０内の液晶ドライバーＩＣ７２が電気アドレス型液晶パネル部１４を駆動して時刻情報を表示させている。
なお本明細書を通じて、同様の部材には同様の番号を付している。
【００２５】
図３は液晶パネル５４に光で画像を書き込む原理を説明する図で、液晶パネル５４の光照射による時定数の差を示している。
図３において、横軸は時間、縦軸は電圧で、図１（ｂ）の透明電極２２，２４間に電圧Ｖｗを印加すると、液晶パネルの光が照射された部分は、７８光ＯＮの曲線に示すように、応答が早く、短時間で液晶に電圧差Ｖｗが生じ、光が照射されない部分は、７６光ＯＦＦの曲線に示すように、応答が遅く、液晶に電圧差Ｖｗが生じるのに時間がかかる。
このように光の照射によって時定数（応答速度）に差が出るのは、光導電体３２の層の働きによるもので、光導電体３２を構成するａ-Ｓｉ:Ｈは光の照射部分と非照射部分とで抵抗値に１００倍〜１０００倍の差が生じるためである。
印加電圧Ｖｗを図１３のＶ２以上に設定すれば、電圧の印加をしてから一定の時間の後には、光照射部の電圧は図１３のＶ２以上、光非照射部の電圧は図１３のＶ１よりも小さいという状態を現出しうる。この状態で光照射部は第１の強誘電状態をとり、光非照射部は第２の強誘電状態をとる。
【００２６】
光導電体３２の層を有する液晶パネル５４の光書込型液晶パネル部５６はこのような特性を有しているため、液晶パネル５４への光の照射時間、透明電極２２，２４間への印加電圧値、印加電圧時間、光導電体２６の層厚等を調整することで、光が照射された部分には白を、照射されない部分には黒を書き込むことが出来る。すなわち光書込み型の液晶パネルが実現できる。
このようにして書き込まれた画像は図１３に示したＶ１，Ｖ３よりも絶対値が大きな電気信号を印加されない限り保持される。例えば透明電極２２と２４とを電気的短絡状態にして印加電圧を０Ｖに維持しておけば、無電力で半永久的に画像を保持可能である。
【００２７】
図４は本発明による時計の液晶パネルに画像を書き込む装置、すなわち文字盤デザイン書き込み装置を示した図で、時計８６はボックス８２内の温度調節プレート８４上に置かれ、光源９０の出射光９４がレンズ９２で平行光９６に変換され、シャッター８８を介して時計８６に照射されている。図示していないが、時計８６は光書き込み用インターフェイスを介して文字盤デザイン書き込み装置と接続されており、書き込み電圧と信号が光源９０の光出射とほぼ同期して時計８６に伝達される。
【００２８】
本実施例においては図４において、光書き込みを行う場合には文字盤デザイン書き込み装置内の温度調節プレート８４上に時計８６を置き、温度調節を行う温度調節プレート８４を用いて光り書き込み時には時計の温度を室温よりも上昇させている。
【００２９】
図５に示すように強誘電性液晶パネルの印加電圧−透過率特性は、液晶の温度によって変化し、高い温度Ｔ２においては低い温度Ｔ１の場合よりも液晶のＶｔｈが下がる。
本実施例においては光書込み時に液晶パネル５４の温度を上げることによりＶｔｈを下げ書き込みがより低電圧で行えるようにしている。またこのような方式をとると、液晶の常温でのＶｔｈを高めに設定できるので、より安定に画像の保持が出来る。
なお、液晶パネル５４の温度を上げなくとも書き込みが可能なことは勿論である。
【００３０】
文字盤デザイン書き込み装置には光源９０からの出力光９４，９６が時計８６の文字盤に照射されることを制御するための２次元シャッター８８が搭載されており、表示したいデザインに応じてシャッター８８が平行光９６を部分的にＯＮ、ＯＦＦし、光が時計の文字盤に照射されることを制御する。
シャッター５２としてはフィルムタイプのものでも液晶パネルタイプのものでも自由に用いることが出来、文字盤のデザインの自由度は飛躍的に上昇する。また電気的に画像を書き込む従来の液晶パネルのように、画素数による分解能の低下を考慮する必要もなく、コストの上昇なしに高精細の画像を書き込むことが出来る。
【００３１】
図６は光書込型液晶パネル部５６への画像書き込みタイミングを示した図で、図６に示した「印加電圧」は液晶パネル５４の光書き込み領域５６全面に印加されている電圧であ
る。光が照射される直前に図６に示すような±７ｖの電圧が約５００μＳｅｃ.印加され（ｔＲ＝５００μＳｅｃ.）、文字盤の全領域をリセットし、全体を黒表示にする。なお期間ｔ２に印加する−７Ｖが全体を黒表示にする電圧で、−７Ｖが図１３におけるＶ４よりも絶対値の大きな負電圧となっている。期間ｔ２に先立つ期間ｔ１に印加している＋７Ｖは液晶パネルに直流電圧分が印加されないようにするための交流化用である。したがって期間ｔ１と期間ｔ２はほぼ等しい時間となっている。その後±５ｖのパルスが約１００μＳｅｃ.印加され（ｔＷ＝１００μＳｅｃ.、ｔ３＝ｔ４）、これに同期して光源９０から光が照射される（光源がＯＮとなる）。２次元シャッター８８によって平行光９６は、液晶パネル５４への書き込み画像が所定のデザインとなるように、時計の文字盤である液晶パネル５４に選択的に光を照射する。光源９０がＯＮとなると、図６の「光導電体層抵抗値」に示すように、光が照射された領域（ＯＮ）では光導電体３２の抵抗値が低くなり、光非照射領域（ＯＦＦ）では光導電体３２の抵抗値が高いままとなる。したがって液晶セルの光が照射された部分だけに低抵抗を介して電圧が印加され、５０μＳｅｃ.（ｔ４）以内で液晶物質への印加電圧が閾電圧を超えることにより、液晶分子のスイッチングが行われ白表示となる。
書き込みが終了した後は（期間ｔＨ）液晶パネル５４への印加電圧は０Ｖにしている。この期間ｔＨに透明電極２２，２４間をオープン状態にしても同様に画像が保持されることは勿論である。
電気アドレス型液晶パネル部５８の液晶パネルの透明電極は図２の１４に示すように上下基板共にストライプ状に形成されており、それぞれの電極には図２に示した電気アドレス用表示回路７０から表示データに応じた電圧が随時印加され、任意の表示情報を随時書き込み可能に構成されている。
【００３２】
光書込型液晶パネル部５６に印加する「印加電圧」は液晶パネル５４の光書き込み領域５６全面に印加されている電圧であるため、最小の信号線数は１本である。従って図１，２に示した光書込用インターフェイス１６を介して外部から入力することは容易である。
【００３３】
このように実施例１にれば、時計用の針の背景である文字盤と時刻情報のデジタル表示部とに段差が生じないコンビネーション型の時計を実現でき、見栄え上効果がある。
また、光書込み型の液晶パネルは表示画素が電極形状に依存しないため、コンビネーション型で随時駆動部分を有しながらも、デザインの自由度が高くかつ高精細で消費電力のない時計の文字盤が実現できる。
さらに、光書込み型の液晶パネル部分は駆動回路を備える必要がないため、配線の簡略化、小型化、廉価化が可能となっている。
【００３４】
なお実施例１においては、透明基板を共有する液晶パネル内で、一方の光書込型液晶パネル部５６には光を用いて表示データを書き込む方式、他方の電気アドレス型液晶パネル部５８には純電気的に表示情報を書き込む方式、というように両パネル部に対する表示データ書込手段を異ならせている。
【実施例２】
【００３５】
図７は本発明の第２の実施例で、透明基板を共有する一つの液晶パネル内が、メモリー性表示領域１１４と随時表示領域１１６との２つの領域から構成された液晶パネルをコンビネーション型の時計に用いた概略図である。メモリー性表示領域１１４が時計用の針４６，４８の文字盤として、随時表示領域１１６が付加情報の表示体として機能している。
ここでメモリー性表示領域１１４が表示保持領域、随時表示領域１１６が表示駆動領域となっている。
本発明で用いた液晶パネルでは、メモリー性表示領域１１４では外部の（図示していない）メモリー性表示領域用データ書き込み装置からの信号で好みの表示を電気的に書き込んでおく。メモリー特性の液晶を用いているために、書き込み後は液晶パネル外部から一
切何らかのエネルギーを与えることなく表示が保つことが出来る。また随時駆動領域１１６では時計本体の駆動回路からの信号で時刻表示や曜日表示等を随時、表示の書き換えを行っている。
【００３６】
図８は本実施例に用いた液晶パネルの断面図であり、図９は本実施例に用いた液晶パネルの上面図である。
図８の断面図が図１（ｂ）の断面図と異なる点は、図１（ｂ）にあった光導電体３２が図８では存在せず、代わりに透明電極１０６がパターニングされている点で、図９に示すように両領域１１４，１１６共に透明電極がパターニングされて格子状になっている。メモリー表示領域１１４と随時駆動領域１１６との画素密度は自由に設定できる。図８，９ではメモリー表示領域１１４の画素を随時駆動領域１１６よりも粗く設計した例を示した。
図９に示すように、液晶パネルにはメモリー表示領域用インターフェイスと１２０と随時駆動回路１２２が独立して設けられており、それぞれの領域に接続されている。
メモリー表示領域用インターフェイスと１２０は、液晶ドライバー回路を備えて外部から送られてくる表示データ及び制御信号に従ってメモリー表示領域１１４に画像を書き込んでも良いし、パターニングされた各透明電極に対し外部から直接信号を与えても良い。どちらを選ぶかは設計上の問題である。
随時駆動領域駆動回路１２２は図２に示した電気アドレス用表示回路７０と同様の構成となっている。
本実施例２では、いずれの領域１１４，１１６でも液晶層３６，３８に強誘電性液晶が用いられており、１．７μの間隔で保持されている一対の透明基板１８，２０内に構成されている。透明基板１８，２０の対向面には電極が形成されており、表示を行うための画素パターンが透明電極１０６，２４，２３で形成されている。該透明電極上にはＳｉＯ物質を約６００Åの膜厚で蒸着し配向膜とした。上側の透明基板１８の外側には、偏光板４０の偏光軸と第２の強誘電状態である強誘電性液晶分子の平均的分子軸方向とが、平行になるように第１の偏光板４０を設置し、他方の透明基板２０の外側には反射型偏光板４２を設置した。
本実施例ではメモリー表示領域１１４と随時駆動領域１１６とに同じ強誘電性液晶を用いたが、２つの領域に用いる液晶は、例えばメモリー表示領域１１４には強誘電性液晶を、随時駆動領域１１６にはネマティック液晶を、というように異なる液晶材料を用いても良い。
【００３７】
このように実施例２によっても、時計用の針の背景である文字盤と時刻情報のデジタル表示部とに段差が生じないコンビネーション型の時計を実現でき、見栄え上効果がある。
なお実施例２においては、透明基板を共有する液晶パネル内で、一方のメモリー表示領域１１４には文字盤のデザインを変更するときのみ、時計外部からの制御に従って表示データを書き込む方式、他方の随時駆動領域１１６には時計内部の制御に従って時計内部の保持データを書き込むという方式、というように両パネル部に対する表示データ書込手段を異ならせている。
【図面の簡単な説明】
【００３８】
【図１】本発明による時計の第１の実施例である。
【図２】本発明による時計をより具体的に説明する平面図である。
【図３】液晶パネルに光で画像を書き込む原理を説明する図である。
【図４】本発明による時計の液晶パネルに光で画像を書き込む装置の例である。
【図５】強誘電性液晶パネルの印加電圧−透過率特性の温度依存性を示す図である。
【図６】光書込型液晶パネル部への画像書き込みタイミングを示した図である。
【図７】本発明による時計の第２の実施例である。
【図８】第２の実施例に用いた液晶パネルの断面図である。
【図９】第２の実施例に用いた液晶パネルの上面図である。
【図１０】強誘電性液晶の分子長軸方向と電界との関係を示す説明図である。
【図１１】強誘電性液晶の分子長軸方向と電界との関係を示す説明図である。
【図１２】強誘電性液晶の分子長軸方向と偏光板の透過軸との関係を示す図である。
【図１３】強誘電性液晶の印加電圧と透過率との関係を示す図である。
【図１４】従来のコンビネーション型の時計の問題を説明する図である。
【符号の説明】
【００３９】
１８，２０  透明基板
５４  液晶パネル
１２、５６、１１４  表示保持領域
１４，５８、１１６  表示駆動領域
【図１】
2005234202.tif 000003
【図２】
2005234202.tif 000004
【図３】
2005234202.tif 000005
【図４】
2005234202.tif 000006
【図５】
2005234202.tif 000007
【図６】
2005234202.tif 000008
【図７】
2005234202.tif 000009
【図８】
2005234202.tif 000010
【図９】
2005234202.tif 000011
【図１０】
2005234202.tif 000012
【図１１】
2005234202.tif 000013
【図１２】
2005234202.tif 000014
【図１３】
2005234202.tif 000015
【図１４】
2005234202.tif 000016